(57)【要約】【課題】サイドバイサイド方式の３次元画像データの判別を良好に行う。【解決手段】入力画像データの水平ラインの画素データに基づいて各画素位置の傾斜量を求め、この傾斜量の符号が変化する位置の画素を相関候補として抽出する。例えば、画素位置の傾斜量として、隣接する画素との間の画素データ値の差分を求める。この相関候補に基づいて、水平ラインに互いに相関関係を持つ第１の相関候補範囲および第２の相関候補範囲があるかを検査する。サイドバイサイド方式の３次元画像データの場合、水平方向に、左眼画像および右眼画像が並べて配置されていることから、第１の相関候補範囲および第２の相関候補範囲があるとの検査結果が得られる。この検査結果に基づいて、入力画像データがサイドバイサイド方式の３次元画像データであるかを判別する。【選択図】図３
2013005410.tif 000002
【特許請求の範囲】
【請求項１】
入力画像データの水平ラインの画素データに基づいて各画素位置の傾斜量を求め、該傾斜量の符号が変化する位置の画素を相関候補として抽出する相関候補抽出部と、
上記相関候補抽出部で抽出された相関候補に基づいて、上記水平ラインに互いに相関関係を持つ第１の相関候補範囲および第２の相関候補範囲があるかを検査する相関検査部と、
上記相関検査部の検査結果に基づいて、上記入力画像データがサイドバイサイド方式の３次元画像データであるかを判別する画像フォーマット判別部とを備える
画像フォーマット判別装置。
【請求項２】
上記画像フォーマット判別部は、
上記サイドバイサイド方式の画像データであると判別するとき、さらに、上記第１の相関候補範囲および第２の相関候補範囲のサイズ比に基づいて、上記水平方向における左眼画像および右眼画像の境界画素位置を求める
請求項１に記載の画像フォーマット判別装置。
【請求項３】
上記画像フォーマット判別部は、
上記相関検査部における複数の水平ラインの検査結果に基づいて、上記入力画像データがサイドバイサイド方式の３次元画像データであるかを判別する
請求項１に記載の画像フォーマット判別装置。
【請求項４】
上記相関候補抽出部は、
上記各画素位置の傾斜量として、隣接する画素との間の画素データ値の差分を求める
請求項１に記載の画像フォーマット判別装置。
【請求項５】
入力画像データの水平ラインの画素データに基づいて各画素位置の傾斜量を求め、該傾斜量の符号が変化する位置の画素を相関候補として抽出する相関候補抽出ステップと、
上記相関候補抽出ステップで抽出された相関候補に基づいて、上記水平ラインに互いに相関関係を持つ第１の相関候補範囲および第２の相関候補範囲があるかを検査する相関検査ステップと、
上記相関検査ステップの検査結果に基づいて、上記入力画像データがサイドバイサイド方式の３次元画像データであるかを判別する画像フォーマット判別ステップとを備える
画像フォーマット判別方法。
【請求項６】
入力画像データに基づいて、該入力画像データがサイドバイサイド方式の３次元画像データであるかを判別する画像フォーマット判別装置と、
上記画像フォーマット判別装置の判別結果に基づいて、上記入力画像データを処理して表示用画像データを得る画像データ処理部とを備え、
上記画像フォーマット判別装置は、
上記入力画像データの水平ラインの画素データに基づいて各画素位置の傾斜量を求め、該傾斜量の符号が変化する位置の画素を相関候補として抽出する相関候補抽出部と、
上記相関候補抽出部で抽出された相関候補に基づいて、上記水平ラインに互いに相関関係を持つ第１の相関候補範囲および第２の相関候補範囲があるかを検査する相関検査部と、
上記相関検査部の検査結果に基づいて、上記入力画像データがサイドバイサイド方式の３次元画像データであるかを判別する画像フォーマット判別部とを有する
画像再生装置。
【請求項７】
入力画像データに基づいて、該入力画像データがサイドバイサイド方式の３次元画像データであるかを判別し、さらに、サイドバイサイド方式の３次元画像データであると判別するとき、水平方向における左眼画像および右眼画像の境界画素位置を求める画像フォーマット判別装置と、
上記画像フォーマット判別装置でサイドバイサイド方式の３次元画像データであると判別されるとき、上記入力画像データから上記画像フォーマット判別装置で求められた上記境界画素位置に基づいて左眼画像データおよび右眼画像データを切り出し、水平方向のスケーリング処理を施し、左眼および右眼の表示用画像データを生成する画像データ処理部とを備え、
上記画像フォーマット判別装置は、
上記入力画像データの水平ラインの画素データに基づいて各画素位置の傾斜量を求め、該傾斜量の符号が変化する位置の画素を相関候補として抽出する相関候補抽出部と、
上記相関候補抽出部で抽出された相関候補に基づいて、上記水平ラインに互いに相関関係を持つ第１の相関候補範囲および第２の相関候補範囲があるかを検査する相関検査部と、
上記相関検査部の検査結果に基づいて、上記入力画像データがサイドバイサイド方式の３次元画像データであるかを判別し、上記サイドバイサイド方式の画像データであると判別するとき、さらに、上記第１の第１の相関候補範囲および第２の相関候補範囲のサイズ比に基づいて、上記水平方向における左眼画像および右眼画像の境界画素位置を求める画像フォーマット判別部とを有する
画像再生装置。
【請求項８】
上記画像データ処理部は、
３次元表示モードにおいて、上記画像フォーマット判別部でサイドバイサイド方式の３次元画像データであると判別されるとき、上記入力画像データから上記画像フォーマット判別部で求められた上記境界画素位置に基づいて左眼画像データおよび右眼画像データを切り出し、水平方向のスケーリング処理を施し、左眼および右眼の表示用画像データを生成し、
２次元表示モードにおいて、上記画像フォーマット判別部でサイドバイサイド方式の３次元画像データであると判別されるとき、上記入力画像データから上記画像フォーマット判別部で求められた上記境界画素位置に基づいて左眼画像データまたは右眼画像データを切り出し、水平方向のスケーリング処理を施し、２次元表示用画像データを生成する
請求項７に記載の画像再生装置。
【請求項９】
入力画像データに基づいて、該入力画像データがサイドバイサイド方式の３次元画像データであるかを判別し、さらに、サイドバイサイド方式の３次元画像データであると判別するとき、水平方向における左眼画像および右眼画像の境界画素位置を求める画像フォーマット判別装置と、
上記画像フォーマット判別装置でサイドバイサイド方式の３次元画像データであると判別されるとき、上記入力画像データから上記画像フォーマット判別部で求められた上記境界画素位置に基づいて左眼画像データまたは右眼画像データを切り出し、水平方向のスケーリング処理を施し、２次元表示用画像データを生成する画像データ処理部とを備え、
上記画像フォーマット判別装置は、
上記入力画像データの水平ラインの画素データに基づいて各画素位置の傾斜量を求め、該傾斜量の符号が変化する位置の画素を相関候補として抽出する相関候補抽出部と、
上記相関候補抽出部で抽出された相関候補に基づいて、上記水平ラインに互いに相関関係を持つ第１の相関候補範囲および第２の相関候補範囲があるかを検査する相関検査部と、
上記相関検査部の検査結果に基づいて、上記入力画像データがサイドバイサイド方式の３次元画像データであるかを判別し、上記サイドバイサイド方式の画像データであると判別するとき、さらに、上記第１の相関候補範囲および第２の相関候補範囲のサイズ比に基づいて、上記水平方向における左眼画像および右眼画像の境界画素位置を求める画像フォーマット判別部とを有する
画像再生装置。
【請求項１０】
入力画像データの画像フォーマットを判別する画像フォーマット判別装置を備え、
上記画像フォーマット判別装置は、
上記入力画像データの水平ラインの画素データに基づいて各画素位置の傾斜量を求め、該傾斜量の符号が変化する位置の画素を相関候補として抽出する相関候補抽出部と、
上記相関候補抽出部で抽出された相関候補に基づいて、上記水平ラインに互いに相関関係を持つ第１の相関候補範囲および第２の相関候補範囲があるかを検査する相関検査部と、
上記相関検査部の検査結果に基づいて、上記入力画像データがサイドバイサイド方式の３次元画像データであるかを判別する画像フォーマット判別部とを備える
電子機器。
【発明の詳細な説明】
【技術分野】
【０００１】
本技術は、画像フォーマット判別装置、画像フォーマット判別方法、画像再生装置および電子機器に関する。特に、本技術は、入力画像データがサイドバイサイド方式の３次元画像データであるか否かを判別する画像フォーマット判別装置、画像フォーマット判別方法、画像再生装置および電子機器に関する。
【背景技術】
【０００２】
例えば、テレビ番組などのコンテンツを放送局からユーザのテレビ受像機に送信することを想定した場合、画像データとして、３次元（３Ｄ）画像データを送信することが考えられる。３Ｄ画像データの画像フォーマットとして、サイドバイサイド方式が知られている。このサイドバイサイド方式は、例えば、水平方向の前半では左眼画像データのピクセルデータを伝送し、水平方向の後半では右眼画像データのピクセルデータを伝送する方式である。
【０００３】
テレビ受信機では、受信画像データの画像フォーマットを把握することで、当該受信画像データに対して適切な処理を施すことができ、良好な画像表示が可能となる。受信画像データに画像フォーマットを示す信号（シグナリング信号）が付加されている場合には問題はないが、当該信号が付加されていない場合には、受信画像データに基づいて、当該受信画像データの画像フォーマットを判別することが必要となる。
【０００４】
例えば、特許文献１には、画像データに基づいて、サイドバイサイド方式の３次元画像データを判別する方法が記載されている。この判別方法においては、左右の矩形着目部分領域どうしの相関を利用して判別を行っている。
【先行技術文献】
【特許文献】
【０００５】
【特許文献１】特開２０１０−０６８３１５号公報
【発明の概要】
【発明が解決しようとする課題】
【０００６】
本技術の目的は、サイドバイサイド方式の３次元画像データの判別を良好に行うことにある。
【課題を解決するための手段】
【０００７】
本技術の概念は、
入力画像データの水平ラインの画素データに基づいて各画素位置の傾斜量を求め、該傾斜量の符号が変化する位置の画素を相関候補として抽出する相関候補抽出部と、
上記相関候補抽出部で抽出された相関候補に基づいて、上記水平ラインに互いに相関関係を持つ第１の相関候補範囲および第２の相関候補範囲があるかを検査する相関検査部と、
上記相関検査部の検査結果に基づいて、上記入力画像データがサイドバイサイド方式の３次元画像データであるかを判別する画像フォーマット判別部とを備える
画像フォーマット判別装置にある。
【０００８】
本技術において、相関候補抽出部により、入力画像データの水平ラインの画素データに基づいて各画素位置の傾斜量が求められ、この傾斜量の符号が変化する位置の画素が相関候補として抽出される。この場合、例えば、相関候補抽出部は、各画素位置の傾斜量として、隣接する画素との間の画素データ値の差分を求める、ようにされてもよい。
【０００９】
相関検査部により、相関候補抽出部で抽出された相関候補に基づいて、水平ラインに互いに相関関係を持つ第１の相関候補範囲および第２の相関候補範囲があるかが検査される。サイドバイサイド方式の３次元画像データの場合、水平方向に、左眼画像および右眼画像が並べて配置されている。そのため、サイドバイサイド方式の３次元画像データの場合、第１の相関候補範囲および第２の相関候補範囲の存在が検出される。
【００１０】
そして、画像フォーマット判別部により、相関検出部の検査結果に基づいて、入力画像データがサイドバイサイド方式の３次元画像データであるかが判別される。この場合、水平ラインに互いに相関関係を持つ第１の相関候補範囲および第２の相関候補範囲があるときは、入力画像データがサイドバイサイド方式の３次元画像データであると判別される。
【００１１】
このように、本技術においては、水平ラインの画素データの傾斜量の符号が変化する位置の画素を相関候補として抽出し、水平ラインに互いに相関関係を持つ第１の相関候補範囲および第２の相関候補範囲があるかにより、入力画像データがサイドバイサイド方式の３次元画像データであるか判別するものである。そのため、サイドバイサイド方式の３次元画像データの判別を良好に行うことが可能となる。
【００１２】
なお、本技術において、例えば、画像フォーマット判別部は、サイドバイサイド方式の画像データであると判別するとき、さらに、第１の相関候補範囲および第２の相関候補範囲のサイズ比に基づいて、水平方向における左眼画像および右眼画像の境界画素位置を求める、ようにされてもよい。このように境界画素位置（Ｌ／Ｒ境界座標）を求めることで、例えば、左眼画像データおよび右眼画像データの水平方向解像度が異なる場合であっても、入力画像データから左眼画像データや右眼画像データの切り出しを適切に行うことが可能となる。
【００１３】
また、本技術において、例えば、画像フォーマット判別部は、相関検査部における複数の水平ラインの検査結果に基づいて、入力画像データがサイドバイサイド方式の３次元画像データであるかを判別する、ようにされてもよい。これにより、サイドバイサイド方式の画像データであるか否かの判別精度を高めることが可能となる。また、水平方向における左眼画像および右眼画像の境界画素位置の精度も高めることが可能となる。
【００１４】
また、本技術の他の概念は、
入力画像データに基づいて、該入力画像データがサイドバイサイド方式の３次元画像データであるかを判別する画像フォーマット判別装置と、
上記画像フォーマット判別装置の判別結果に基づいて、上記入力画像データを処理して表示用画像データを生成する画像データ処理部とを備え、
上記画像フォーマット判別装置は、
上記入力画像データの水平ラインの画素データに基づいて各画素位置の傾斜量を求め、該傾斜量の符号が変化する位置の画素を相関候補として抽出する相関候補抽出部と、
上記相関候補抽出部で抽出された相関候補に基づいて、上記水平ラインに互いに相関関係を持つ第１の相関候補範囲および第２の相関候補範囲があるかを検査する相関検査部と、
上記相関検査部の検査結果に基づいて、上記入力画像データがサイドバイサイド方式の３次元画像データであるかを判別する画像フォーマット判別部とを有する
画像再生装置にある。
【００１５】
本技術において、画像フォーマット判別装置により、入力画像データに基づいて、この入力画像データがサイドバイサイド方式の３次元画像データであるかが判別される。そして、画像データ処理部により、画像フォーマット判別装置の判別結果に基づいて、入力画像データが処理されて表示用画像データが生成される。
【００１６】
画像フォーマット判別装置は、相関候補抽出部と、相関検査部と、画像フォーマット判別部とを有しており、サイドバイサイド方式の３次元画像データの判別が良好に行われる。そのため、本技術においては、画像データ処理部において、入力画像データに対する処理を適切に行うことができ、表示用画像データの生成が良好に行われる。
【００１７】
また、本技術の他の概念は、
入力画像データに基づいて、該入力画像データがサイドバイサイド方式の３次元画像データであるかを判別し、さらに、サイドバイサイド方式の３次元画像データであると判別するとき、水平方向における左眼画像および右眼画像の境界画素位置を求める画像フォーマット判別装置と、
上記画像フォーマット判別装置でサイドバイサイド方式の３次元画像データであると判別されるとき、上記入力画像データから上記画像フォーマット判別装置で求められた上記境界画素位置に基づいて左眼画像データおよび右眼画像データを切り出し、水平方向のスケーリング処理を施し、左眼および右眼の表示用画像データを生成する画像データ処理部とを備え、
上記画像フォーマット判別装置は、
上記入力画像データの水平ラインの画素データに基づいて各画素位置の傾斜量を求め、該傾斜量の符号が変化する位置の画素を相関候補として抽出する相関候補抽出部と、
上記相関候補抽出部で抽出された相関候補に基づいて、上記水平ラインに互いに相関関係を持つ第１の相関候補範囲および第２の相関候補範囲があるかを検査する相関検査部と、
上記相関検査部の検査結果に基づいて、上記入力画像データがサイドバイサイド方式の３次元画像データであるかを判別し、上記サイドバイサイド方式の画像データであると判別するとき、さらに、上記第１の第１の相関候補範囲および第２の相関候補範囲のサイズ比に基づいて、上記水平方向における左眼画像および右眼画像の境界画素位置を求める画像フォーマット判別部とを有する
画像再生装置にある。
【００１８】
本技術において、画像フォーマット判別装置により、入力画像データに基づいて、この入力画像データがサイドバイサイド方式の３次元画像データであるかが判別され、さらに、サイドバイサイド方式の３次元画像データであると判別されるとき、水平方向における左眼画像および右眼画像の境界画素位置が求められる。そして、画像データ処理部により、画像フォーマット判別装置でサイドバイサイド方式の３次元画像データであると判別されるとき、境界画素位置に基づいて左眼画像データおよび右眼画像データが切り出され、水平方向のスケーリング処理が施され、左眼および右眼の表示用画像データが生成される。
【００１９】
画像フォーマット判別装置は、相関候補抽出部と、相関検査部と、画像フォーマット判別部とを有しており、サイドバイサイド方式の３次元画像データの判別が良好に行われ、また、左眼画像および右眼画像の境界画素位置も良好に求められる。そのため、本技術においては、画像データ処理部において、入力画像データに対する処理を適切に行って、左眼および右眼の表示用画像データの生成が良好に行われる。
【００２０】
なお、本技術において、例えば、画像データ処理部は、３次元表示モードにおいて、画像フォーマット判別部でサイドバイサイド方式の３次元画像データであると判別されるとき、入力画像データから上記画像フォーマット判別部で求められた境界画素位置に基づいて左眼画像データおよび右眼画像データを切り出し、水平方向のスケーリング処理を施し、左眼および右眼の表示用画像データを生成し、２次元表示モードにおいて、画像フォーマット判別部でサイドバイサイド方式の３次元画像データであると判別されるとき、入力画像データから上記画像フォーマット判別部で求められた境界画素位置に基づいて左眼画像データまたは右眼画像データを切り出し、水平方向のスケーリング処理を施し、２次元表示用画像データを生成する、ようにされてもよい。この場合、３次元表示モードにおいても、２次元表示モードにおいても、表示用画像データの生成が良好に行われる。
【００２１】
また、本技術の他の概念は、
入力画像データに基づいて、該入力画像データがサイドバイサイド方式の３次元画像データであるかを判別し、さらに、サイドバイサイド方式の３次元画像データであると判別するとき、水平方向における左眼画像および右眼画像の境界画素位置を求める画像フォーマット判別装置と、
上記画像フォーマット判別装置でサイドバイサイド方式の３次元画像データであると判別されるとき、上記入力画像データから上記画像フォーマット判別部で求められた上記境界画素位置に基づいて左眼画像データまたは右眼画像データを切り出し、水平方向のスケーリング処理を施し、２次元表示用画像データを生成する画像データ処理部とを備え、
上記画像フォーマット判別装置は、
上記入力画像データの水平ラインの画素データに基づいて各画素位置の傾斜量を求め、該傾斜量の符号が変化する位置の画素を相関候補として抽出する相関候補抽出部と、
上記相関候補抽出部で抽出された相関候補に基づいて、上記水平ラインに互いに相関関係を持つ第１の相関候補範囲および第２の相関候補範囲があるかを検査する相関検査部と、
上記相関検査部の検査結果に基づいて、上記入力画像データがサイドバイサイド方式の３次元画像データであるかを判別し、上記サイドバイサイド方式の画像データであると判別するとき、さらに、上記第１の相関候補範囲および第２の相関候補範囲のサイズ比に基づいて、上記水平方向における左眼画像および右眼画像の境界画素位置を求める画像フォーマット判別部とを有する
画像再生装置にある。
【００２２】
本技術において、画像フォーマット判別装置により、入力画像データに基づいて、この入力画像データがサイドバイサイド方式の３次元画像データであるかが判別され、さらに、サイドバイサイド方式の３次元画像データであると判別されるとき、左眼画像および右眼画像の境界画素位置が求められる。そして、画像データ処理部により、画像フォーマット判別装置でサイドバイサイド方式の３次元画像データであると判別されるとき、入力画像データから画像フォーマット判別部で求められた境界画素位置に基づいて左眼画像データまたは右眼画像データが切り出され、水平方向のスケーリング処理が施され、２次元表示用画像データが生成される。
【００２３】
画像フォーマット判別装置は、相関候補抽出部と、相関検査部と、画像フォーマット判別部とを有しており、サイドバイサイド方式の３次元画像データの判別が良好に行われ、また、左眼画像および右眼画像の境界画素位置も良好に求められる。そのため、本技術においては、画像データ処理部において、入力画像データに対する処理を適切に行って、２次元表示用画像データの生成が良好に行われる。
【００２４】
また、本技術の他の概念は、
入力画像データの画像フォーマットを判別する画像フォーマット判別装置を備え、
上記画像フォーマット判別装置は、
上記入力画像データの水平ラインの画素データに基づいて各画素位置の傾斜量を求め、該傾斜量の符号が変化する位置の画素を相関候補として抽出する相関候補抽出部と、
上記相関候補抽出部で抽出された相関候補に基づいて、上記水平ラインに互いに相関関係を持つ第１の相関候補範囲および第２の相関候補範囲があるかを検査する相関検査部と、
上記相関検査部の検査結果に基づいて、上記入力画像データがサイドバイサイド方式の３次元画像データであるかを判別する画像フォーマット判別部とを備える
電子機器にある。
【００２５】
本技術の電子機器は、入力画像データの画像フォーマットを判別する画像フォーマット判別装置を備えるものとされる。ここで、電子機器は、テレビ受信機、レコーダ、プレーヤなどが該当する。画像フォーマット判別装置は、相関候補抽出部と、相関検査部と、画像フォーマット判別部とを有するものとされる。そのため、サイドバイサイド方式の３次元画像データの判別を良好に行うことができる。この判別結果は、電子機器内部で使用でき、あるいは、電子機器から画像データと共に外部機器に供給できる。
【発明の効果】
【００２６】
本技術によれば、サイドバイサイド方式の３次元画像データの判別を良好に行うことができる。
【図面の簡単な説明】
【００２７】
【図１】本技術の第１の実施の形態としてのテレビ受信機の構成例を示すブロック図である。
【図２】テレビ受信機を構成する３Ｄ信号処理部における画像フォーマット判別情報に基づく処理を説明するための図である。
【図３】テレビ受信機を構成する画像フォーマット判別装置の構成例を示すブロック図である。
【図４】画像フォーマット判別装置の相関候補抽出部で抽出される相関候補の一例を示す図である。
【図５】画像データがサイドバイサイド方式の３次元画像データである場合において、画像フォーマット判別装置の相関候補抽出部で抽出される相関候補の一例を示す図である。
【図６】画像フォーマット判別装置の相関検査部における相関検査の具体例を示す図である。
【図７】相関検査部における相関検査の具体例における相関候補、スキャン・ターゲット値ＳＴ、符合リスト、一致リストの関係を示す図である。
【図８】各水平ラインで求められた境界画素位置に基づいて最終的な境界画素位置を決定することを説明するための図である。
【図９】左眼画像および右眼画像の水平サイズが異なるときでも水平方向における左眼画像および右眼画像の境界位置を正しく求められることを示す図である。
【図１０】画像フォーマット判別装置の処理手順の一例を示すフローチャート（１／２）である。
【図１１】画像フォーマット判別装置の処理手順の一例を示すフローチャート（２／２）である。
【図１２】本技術の第２の実施の形態としてのテレビ受信機の構成例を示すブロック図である。
【発明を実施するための形態】
【００２８】
以下、発明を実施するための形態（以下、「実施の形態」とする）について説明する。なお、説明を以下の順序で行う。
１．第１の実施の形態
２．第２の実施の形態
３．変形例    
【００２９】
＜１．第１の実施の形態＞
［テレビ受信機（３ＤＴＶ）の構成例］
図１は、本技術の第１の実施の形態としてのテレビ受信機１００の構成例を示している。このテレビ受信機１００は、３Ｄ表示が可能なテレビ受信機（３ＤＴＶ）である。このテレビ受信機１００は、ＣＰＵ１０１と、フラッシュＲＯＭ１０２と、ＤＲＡＭ１０３と、内部バス１０４と、リモートコントロール受信部（ＲＣ受信部）１０５と、リモートコントロール送信機（ＲＣ送信機）１０６を有している。
【００３０】
また、このテレビ受信機１００は、アンテナ端子１１０と、デジタルチューナ１１１と、トランスポートストリームバッファ（ＴＳバッファ）１１２と、デマルチプレクサ１１３を有している。また、このテレビ受信機１００は、ビデオデコーダ１１４と、ディスプレイアウトプットバッファ（ＤＯバッファ）１１５と、３Ｄ信号処理部１１６と、ビューバッファ１１７Ｌ，１１７Ｒと、画像フォーマット判別装置１１８を有している。さらに、テレビ受信機１００は、オーディオデコーダ１２１と、チャネル処理部１２２を有している。
【００３１】
ＣＰＵ１０１は、テレビ受信機１００の各部の動作を制御する。フラッシュＲＯＭ１０２は、制御ソフトウェアの格納およびデータの保管を行う。ＤＲＡＭ１０３は、ＣＰＵ１０１のワークエリアを構成する。ＣＰＵ１０１は、フラッシュＲＯＭ１０２から読み出したソフトウェアやデータをＤＲＡＭ１０３上に展開してソフトウェアを起動させ、テレビ受信機１００の各部を制御する。
【００３２】
ＲＣ受信部１０５は、ＲＣ送信機１０６から送信されたリモーコントロール信号（リモコンコード）を受信し、ＣＰＵ１０１に供給する。ＣＰＵ１０１は、このリモコンコードに基づいて、テレビ受信機１００の各部を制御する。ＣＰＵ１０１、フラッシュＲＯＭ１０２およびＤＲＡＭ１０３は、それぞれ内部バス１０４に接続されている。
【００３３】
アンテナ端子１１０は、受信アンテナ（図示せず）で受信されたテレビ放送信号を入力する端子である。デジタルチューナ１１１は、アンテナ端子１１０に入力されたテレビ放送信号を処理して、ユーザの選択チャネルに対応した所定のトランスポートストリームＴＳを出力する。ＴＳバッファ１１２は、デジタルチューナ１１１から出力されたトランスポートストリームＴＳを一時的に蓄積する。
【００３４】
このトランスポートストリームＴＳには、ビデオエレメンタリストリーム、オーディオエレメンタリストリームが多重化されて含まれている。ビデオエレメンタリストリームには、サイドバイサイド（Side By Side）方式の３次元（３Ｄ）画像データあるいは２次元（２Ｄ）画像データが挿入されている。
【００３５】
デマルチプレクサ１１３は、ＴＳバッファ１１２に一時的に蓄積されたトランスポートストリームＴＳから、ビデオエレメンタリストリームおよびオーディオエレメンタリストリームを抽出する。ビデオデコーダ１１４は、デマルチプレクサ１１３で抽出されたビデオエレメンタリストリームに含まれる符号化画像データに対してデコード処理を行って画像データＶＤを得る。この画像データＶＤは、２次元画像データ、あるいはサイドバイサイド方式の３次元画像データである。ＤＯバッファ１１５は、ビデオデコーダ１１４で取得された画像データを一時的に蓄積する。
【００３６】
３Ｄ信号処理部１１６は、ＤＯバッファ１１５に蓄積されている画像データＶＤがサイドバイサイド方式の３次元画像データであるときは、以下の処理を行う。すなわち、３次元表示モードが選択されている場合には、画像データＶＤから左眼画像データおよび右眼画像データを切り出し、水平方向のスケーリング処理を施し、左眼表示用画像データＳＬおよび右眼表示用画像データＳＲを生成する。また、２次元表示モードが選択されている場合には、画像データＶＤから左眼画像データまたは右眼画像データを切り出し、水平方向のスケーリング処理を施し、２次元表示用画像データＳＶを生成する。
【００３７】
また、３Ｄ信号処理部１１６は、ＤＯバッファ１１５に蓄積されている画像データＶＤが２次元画像データであるときは、３次元表示モードが選択されているか２次元表示モードが選択されているかに依らず、以下の処理を行う。すなわち、３Ｄ信号処理部１１６は、画像データＶＤをそのまま２次元表示用画像データＳＶとして出力する。
【００３８】
ビューバッファ１１７Ｌは、３Ｄ信号処理部１１６で得られた左眼表示用画像データＳＬまたは３Ｄ信号処理部１１６で生成された２次元表示用画像データＳＶを一時的に蓄積し、表示ディスプレイなどの画像出力部に出力する。また、ビューバッファ１１７Ｒは、３Ｄ信号処理部１１６で得られた右眼表示用画像データＳＲを一時的に蓄積し、表示ディスプレイなどの画像出力部に出力する。
【００３９】
画像フォーマット判別装置１１８は、ＤＯバッファ１１５に蓄積されている画像データＶＤの画像フォーマットを判別する。つまり、画像フォーマット判別装置１１８は、この画像データＶＤに基づいて、この画像データＶＤが、サイドバイサイド方式の３次元画像データであるか、あるいは２次元画像データであるか否かを判別する。また、画像フォーマット判別装置１１８は、画像データＶＤがサイドバイサイド方式の３次元画像データであると判別するとき、さらに、水平方向における左眼画像および右眼画像の境界画素位置（Ｌ／Ｒ境界座標）を求める。
【００４０】
画像フォーマット判別装置１１８は、画像データＶＤの水平ラインの画素データに基づいて各画素位置の傾斜量を求め、この傾斜量の符号が変化する位置の画素を相関候補として抽出する。そして、画像フォーマット判別装置１１８は、その相関候補に基づいて、水平ライン上に互いに相関関係を持つ第１の相関候補範囲および第２の相関候補範囲があるかを検査する。
【００４１】
そして、画像フォーマット判別装置１１８は、その検査結果に基づいて、画像データＶＤがサイドバイサイド方式の３次元画像データであるか２次元画像データであるかを判別する。この場合、画像フォーマット判別装置１１８は、水平ラインに互いに相関関係を持つ第１の相関候補範囲および第２の相関候補範囲がある場合には、画像データＶＤがサイドバイサイド方式の３次元画像データであると判別する。一方、画像フォーマット判別装置１１８は、水平ラインに互いに相関関係を持つ第１の相関候補範囲および第２の相関候補範囲がない場合には、画像データＶＤが２次元画像データであると判別する。
【００４２】
また、画像フォーマット判別装置１１８は、画像データＶＤがサイドバイサイド方式の３次元画像データであると判別するとき、さらに、水平方向における左眼画像および右眼画像の境界画素位置（Ｌ／Ｒ境界座標）を求める。この場合、画像フォーマット判別装置１１８は、第１の相関候補範囲および第２の相関候補範囲のサイズ比に基づいて、境界画素位置（Ｌ／Ｒ境界座標）を求める。
【００４３】
画像フォーマット判別装置１１８は、画像フォーマットの判別結果を示す判別情報ＤＩをＣＰＵ１０１に送る。この判別情報ＤＩには、上述したように画像データＶＤがサイドバイサイド方式の３次元画像データであって、水平方向における左眼画像および右眼画像の境界画素位置が求められる場合には、その情報も含まれる。ＣＰＵ１０１は、この判別情報ＤＩに基づいて画像データＶＤの画像フォーマットなどを認識し、上述の３Ｄ信号処理部１１６、ビューバッファ１１７Ｌ，１１７Ｒ、画像出力部などが画像フォーマットに応じた動作を行うように制御する。画像フォーマット判別装置１１８の詳細については後述する。
【００４４】
オーディオデコーダ１２１は、デマルチプレクサ１１３で抽出されたオーディオエレメンタリストリームに含まれる符号化音声データに対して復号化処理を行って復号化された音声データＡＤを得る。チャネル処理部１２２は、オーディオデコーダ１２１で得られる音声データＡＤに対して、例えば５．１chサラウンド等を実現するための各チャネルの音声データＳＡを生成し、図示しない音声出力部に出力する。
【００４５】
図１に示すテレビ受信機１００の動作を簡単に説明する。アンテナ端子１１０に入力されたテレビ放送信号はデジタルチューナ１１１に供給される。このデジタルチューナ１１１では、テレビ放送信号が処理されて、ユーザの選択チャネルに対応した所定のトランスポートストリームＴＳが出力される。このトランスポートストリームＴＳは、ＴＳバッファ１１２に一時的に蓄積される。
【００４６】
デマルチプレクサ１１３では、ＴＳバッファ１１２に一時的に蓄積されたトランスポートストリームＴＳから、ビデオおよびオーディオの各エレメンタリストリームが抽出される。このデマルチプレクサ１１３で抽出されるビデオエレメンタリストリームは、ビデオデコーダ１１４に供給される。
【００４７】
ビデオデコーダ１１４では、デマルチプレクサ１１３で抽出されたビデオエレメンタリストリームに含まれる符号化画像データに対してデコード処理が施されて画像データ（２次元画像データ、あるいはサイドバイサイド方式の３次元画像データ）ＶＤが得られる。この画像データＶＤは、ＤＯバッファ１１５に一時的に蓄積される。
【００４８】
画像フォーマット判別装置１１８では、画像データＶＤに基づいて、この画像データＶＤが、サイドバイサイド方式の３次元画像データであるか２次元画像データであるかが判別される。また、画像フォーマット判別装置１１８では、サイドバイサイド方式の３次元画像データであると判別されるときには、さらに、水平方向における左眼画像および右眼画像の境界画素位置が求められる。
【００４９】
画像フォーマット判別装置１１８からＣＰＵ１０１に、画像フォーマットの判別結果を示す判別情報ＤＩが送られる。ＣＰＵ１０１では、この判別情報ＤＩに基づいて、ビデオデコーダ１１４で得られ、ＤＯバッファ１１５に蓄積されている画像データＶＤの画像フォーマットが認識される。また、ＣＰＵ１０１では、画像データＶＤがサイドバイサイド方式の３次元画像データである場合、水平方向における左眼画像および右眼画像の境界画素位置が認識される。そして、ＣＰＵ１０１により、３Ｄ信号処理部１１６、ビューバッファ１１７Ｌ，１１７Ｒ、画像出力部などが、画像フォーマットに応じた動作を行うように制御される。
【００５０】
画像データＶＤが、図２（ａ）に示すように、サイドバイサイド方式の３次元画像データであるとき、画像フォーマット判別装置１１８では、画像データＶＤがサイドバイサイド方式の３次元画像データであると判別される。このとき、画像フォーマット判別装置１１８では、さらに、水平方向における左眼画像および右眼画像の境界画素位置（Ｌ／Ｒ境界座標）も求められる。このとき、３Ｄ信号処理部１１６等の各部は、３次元（３Ｄ）表示モードが選択されている場合には３次元画像処理を行う状態とされ、一方、２次元（２Ｄ）表示モードが選択されている場合には２次元画像処理を行う状態とされる。
【００５１】
画像データＶＤがサイドバイサイド方式の３次元画像データであるときの３次元画像処理について説明する。この場合、３Ｄ信号処理部１１６では、ＤＯバッファ１１５に蓄積されている画像データＶＤから、図２（ｂ）に示すように、水平方向における左眼画像および右眼画像の境界画素位置に基づいて、左眼画像データおよび右眼画像データを切り出すことが行われる。
【００５２】
そして、３Ｄ信号処理部１１６では、切り出された左眼画像データおよび右眼画像データに対して水平方向のスケーリング処理が施され、図２（ｃ）に示すように、左眼表示用画像データＳＬおよび右眼表示用画像データＳＲが生成される。ここで、画像全体の水平サイズH_sizeに対して、左眼画像の水平サイズが“Ａ”であった場合には、左眼画像データに対しては、水平方向にH_size／Ａ倍とするスケーリング処理が行われる。同様に、画像全体の水平サイズH_sizeに対して、右眼画像の水平サイズが“Ｂ”であった場合には、右眼画像データに対しては、水平方向にH_size／Ｂ倍とするスケーリング処理が行われる。
【００５３】
３Ｄ信号処理部１１６で生成された表示用画像データＳＬ，ＳＲは、ビューバッファ１１７Ｌ，１１７Ｒを通じて、表示ディスプレイなどの画像出力部に供給される。画像出力部には、これらの表示用画像データＳＬ，ＳＲに基づいて、ユーザが３次元画像を知覚するための画像表示が行われる。例えば、シャッタメガネ方式では、シャッタメガネのシャッタ動作に同期して左眼画像および右眼画像が交互に表示される。
【００５４】
次に、画像データＶＤがサイドバイサイド方式の３次元画像データであるときの２次元画像処理について説明する。この場合、３Ｄ信号処理部１１６では、ＤＯバッファ１１５に蓄積されている画像データＶＤから、図２（ｂ）に示す左眼画像データおよび右眼画像データのうち、一方の画像データを切り出すことが行われる。この場合、３Ｄ信号処理部１１６では、水平方向における左眼画像および右眼画像の境界画素位置に基づいて、画像データの切り出し処理が行われる。この場合、例えば、左眼画像データおよび右眼画像データのうち、水平サイズの大きな方の画像データ、図２の例では、左眼画像データの切り出しが行われる。
【００５５】
そして、３Ｄ信号処理部１１６では、切り出された例えば左眼画像データに対して水平方向のスケーリング処理が施され、図２（ｄ）に示すように、２次元表示用画像データＳＶが生成される。ここで、画像全体の水平サイズH_sizeに対して、左眼画像の水平サイズが“Ａ”であった場合には、左眼画像データに対しては、水平方向にH_size／Ａ倍とするスケーリング処理が行われる。
【００５６】
３Ｄ信号処理部１１６で生成された２次元表示用画像データＳＶは、ビューバッファ１１７Ｌを通じて、表示ディスプレイなどの画像出力部に供給される。画像出力部には、この２次元表示用画像データＳＶに基づいて２次元画像が表示される。
【００５７】
画像データＶＤが、図２（ｅ）に示すように、２次元画像データであるとき、画像フォーマット判別装置１１８では、画像データＶＤが２次元画像データであると判別される。このとき、３次元表示モード、２次元表示モードのいずれが選択されていても、３Ｄ信号処理部１１６等の各部は２次元画像処理を行う状態とされる。
【００５８】
この場合、３Ｄ信号処理部１１６では、図２（ｆ）に示すように、ＤＯバッファ１１５に蓄積されている画像データＶＤを、そのまま２次元表示用画像データＳＶとして出力することが行われる。この２次元画像データＳＶは、ビューバッファ１１７Ｌを通じて、表示ディスプレイなどの画像出力部に供給される。画像出力部には、この２次元表示用画像データＳＶに基づいて２次元画像が表示される。
【００５９】
また、デマルチプレクサ１１３で抽出されたオーディオエレメンタリストリームは、オーディオデコーダ１２１に供給される。このオーディオデコーダ１２１では、オーディオエレメンタリストリームに含まれる符号化音声データに対して復号化処理が行われて、復号化された音声データＡＤが得られる。この音声データＡＤは、チャネル処理部１２２に供給される。チャネル処理部１２２では、その音声データに対して、例えば５．１chサラウンド等を実現するための各チャネルの音声データＳＡが生成される。この音声データＳＡはスピーカなどの音声出力部に供給され、表示画像に対応した音声が出力される。
【００６０】
このように、図１に示すテレビ受信機（３ＤＴＶ）１００においては、画像フォーマット判別装置１１８の判別情報ＤＩが用いられることで、良好な画像表示が行われる。すなわち、受信画像データＶＤがサイドバイサイド方式の３次元画像データであるとき、３次元表示モードが選択されている場合には、左眼画像データおよび右眼画像データの切り出しが適切に行われて、３次元画像の表示が良好に行われる。
【００６１】
また、受信画像データＶＤがサイドバイサイド方式の３次元画像データであるとき、２次元表示モードが選択されている場合には、左眼画像データまたは右眼画像データの切り出しが適切に行われて、２次元画像の表示が良好に行われる。さらに、受信画像データＶＤが２次元画像データであるとき、その２次元画像データにより２次元画像の表示が良好に行われる
【００６２】
［画像フォーマット判別装置の構成例］
画像フォーマット判別装置１１８の詳細を説明する。図３は、画像フォーマット判別装置１１８の構成例を示している。この画像フォーマット判別装置１１８は、相関候補抽出部２０１と、相関検査部２０２と、画像フォーマット判別部２０３を有している。
【００６３】
相関候補抽出部２０１は、画像データＶＤの水平ラインの画素データに基づいて各画素位置の傾斜量を求め、この傾斜量の符号が変化する位置の画素を相関候補として抽出する。各画素の傾斜量は、水平ラインの画素データに対して微分処理を施すことで求めることができる。この実施の形態において、相関候補抽出部２０１は、各画素の傾斜量として、隣接する画素との間の画素データ値の差分、つまりＬx+1−Ｌxを求める。ここで、Ｌxは対象画素Ｐxの画素データ値、Ｌx+1は対象画素Ｐxに隣接する画素Ｐx+1の画素データ値を示している。
【００６４】
相関候補抽出部２０１は、Ｌx+1−Ｌxと、Ｌx−Ｌx-1との区間で各々の傾斜量の符号が変わる場合、対象画素Ｐxを相関候補ＤＧＰ（Hx）とする。そして、相関候補抽出部２０１は、位置座標Ｈｘとその画素値Ｌxを、記録(傾斜微分プロット：Differential Gradient Plot)する。図４は、相関候補抽出部２０１で抽出される相関候補の一例を示しており、ＤＧＰ（H0）〜ＤＧＰ（H12）の相関候補が抽出されている。実線Ｑは、各相関候補の画素データ値の変化の様子を示している。
【００６５】
図５は、画像データＶＤがサイドバイサイド方式の３次元画像データである場合において、相関候補抽出部２０１で抽出される相関候補の一例を示しており、例えばＤＧＰ（H0）〜ＤＧＰ（H25）の相関候補が抽出されることを示している。実線ＱＬは左眼画像側で抽出される相関候補の画素データ値の変化の様子を示し、実線ＱＲは右眼画像側で抽出される相関候補の画素データ値の変化の様子を示している。この場合、実線ＱＬと実線ＱＲは互いに相関関係を持つものとなる。
【００６６】
相関検査部２０２は、相関候補抽出部２０１で抽出された相関候補に基づいて、水平ラインに互いに相関関係を持つ第１の相関候補範囲および第２の相関候補範囲があるか否かを検査する。相関検査部２０２は、この検査、つまり相関検査を、例えば、以下の手順で行う。
【００６７】
まず、相関候補抽出部２０１で抽出された相関候補のうち、最初の相関候補の画素データ値を初期スキャン・ターゲット値ＳＴとする。そして、水平ラインの左から右へ、２番目以降の相関候補をスキャンし、その画素データ値がスキャン・ターゲット値ＳＴと同じである相関候補を符合リストに登録する。
【００６８】
次に、符合リストに登録された相関候補を順次個別に一致リストに移動（move）し、スキャン処理を行う。このスキャン処理では、スキャン・ターゲット値ＳＴを、相関候補の２番目以降の相関候補の画素データ値に順次設定していく。そして、新たなスキャン・ターゲット値ＳＴを設定する毎に、一致リストに登録された最後の相関候補の次の相関候補（対象相関候補）の画素データ値がそのスキャン・ターゲット値ＳＴと一致するか判断する。
【００６９】
このスキャン処理において、一致するときは、その相関候補を一致リストに追加登録する。そして、この追加登録後に、一致リストに登録された相関候補に最終相関候補が含まれているか確認する。一致リストに最終相関候補が含まれているとき、水平ラインに互いに相関関係を持つ第１の相関候補範囲および第２の相関候補範囲があるとの検査結果を得る。この場合、一致リストに最初に登録された相関候補から最後に登録された相関候補（最終相関候補）までが第２の相関候補範囲となり、残りの相関候補が第１の相関候補範囲となる。また、このとき、一致リストに最初に登録された相関候補の画素位置を、水平方向における左眼画像および右眼画像の境界画素位置とする。
【００７０】
一方、スキャン処理において、一致しないときは、一致リストに登録されている相関候補を全て削除し、符合リストに登録された相関候補のうち、次の相関候補を一致リストに移動して、上述のスキャン処理を行う。符合リストに登録された全ての相関候補について上述のスキャン処理を行っても、一致リストに最終相関候補が含まれている状態とならないことがある。そのとき、水平ラインに互いに相関関係を持つ第１の相関候補範囲および第２の相関候補範囲がないとの検査結果を得る。画像データＶＤがサイドバイサイド方式の３次元画像データでないときは、このような検査結果が得られることとなる。
【００７１】
図６は、相関検査部２０２における相関検査の具体例を示している。この例では、画像データＶＤがサイドバイサイド方式の３次元画像データであって、その画像データＶＤの水平ラインの画素データから２６個の相関候補ＤＧＰ（H0）〜ＤＧＰ（H25）が抽出されているものとしている。
【００７２】
まず、相関候補ＤＧＰ（H0）〜ＤＧＰ（H25）のうち、最初の相関候補ＤＧＰ（H0）の画素データ値Ｌ1を初期スキャン・ターゲット値ＳＴとする。そして、水平ラインの左から右へ、２番目以降の相関候補をスキャンし、その画素データ値がスキャン・ターゲット値ＳＴと同じである相関候補ＤＧＰ（H2），ＤＧＰ（H12），ＤＧＰ（H13），ＤＧＰ（H15），ＤＧＰ（H25）を符合リストに登録する（図７参照）。
【００７３】
次に、符合リストに登録された相関候補のうち、最初の相関候補ＤＧＰ（H2）を一致リストに移動（move）し（図７参照）、スキャン処理を行う。このスキャン処理では、一致リストに最終相関候補が含まれる状態となることなく、対象相関候補（ＤＧＰ（H3））の画素データ値がそのときのスキャン・ターゲット値ＳＴ＝Ｌ0と一致しない状態となる（図６に「×」で示している）。そのため、この相関候補ＤＧＰ（H2）に関連して一致リストに登録された相関候補、つまりＤＧＰ（H2）は削除される。
【００７４】
次に、符合リストに登録された相関候補のうち、２番目の相関候補ＤＧＰ（H12）を一致リストに移動（move）し（図７参照）、スキャン処理を行う。このスキャン処理では、一致リストに最終相関候補が含まれる状態となることなく、対象相関候補（ＤＧＰ（H13））の画素データ値がそのときのスキャン・ターゲット値ＳＴ＝Ｌ0と一致しない状態となる（図６に「×」で示している）。そのため、この相関候補ＤＧＰ（H12）に関連して一致リストに登録された相関候補、つまりＤＧＰ（H12）は削除される。
【００７５】
次に、符合リストに登録された相関候補のうち、３番目の相関候補ＤＧＰ（H13）を一致リストに移動（move）し（図７参照）、スキャン処理を行う。このスキャン処理では、一致リストに最終相関候補が含まれる状態となるまで、対象相関候補（ＤＧＰ（H14）−ＤＧＰ（H25））の画素データ値がそのときのスキャン・ターゲット値ＳＴと一致した状態となる（図６に「○」で示している）。
【００７６】
これにより、水平ラインに互いに相関関係を持つ第１の相関候補範囲および第２の相関候補範囲があるとの検査結果が得られる。また、このとき、一致リストに最初に登録された相関候補ＤＧＰ（H13）の画素位置が、水平方向における左眼画像および右眼画像の境界画素位置とされる。
【００７７】
この場合、一致リストに最初に登録された相関候補から最後に登録された相関候補（最終相関候補）、つまり相関候補ＤＧＰ（H13）〜ＤＧＰ（H25）が第２の相関候補範囲となり、残りの相関候補ＤＧＰ（H0）〜ＤＧＰ（H12）が第１の相関候補範囲となる（図７参照）。なお、この場合、符合リストに登録された相関候補のうち、４、５番目の相関候補ＤＧＰ（H15），ＤＧＰ（H25）に関しては、一致リストに移動してのスキャンン処理は省略される。
【００７８】
画像フォーマット判別部２０３は、相関検査部２０２の検査結果に基づいて、画像データＶＤがサイドバイサイド方式の３次元画像データであるか２次元画像データであるかを判別する。上述していないが、相関候補抽出部２０１および相関検査部２０２は、複数の水平ラインに対して処理を行う。画像フォーマット判別部２０３は、複数の水平ラインに対する相関検査部２０２の検査結果の統計に基づいて、判別を行う。
【００７９】
画像フォーマット判別部２０３は、例えば、ある割合以上が水平ラインに互いに相関関係を持つ第１の相関候補範囲および第２の相関候補範囲があることを示すとき、画像データＶＤがサイドバイサイド方式の３次元画像データであると判別する。一方、画像フォーマット判別部２０３は、それ以外のとき、画像データＶＤが２次元画像データであると判別する。
【００８０】
また、画像フォーマット判別部２０３は、画像データＶＤがサイドバイサイド方式の３次元画像データであると判別するとき、さらに、水平方向における左眼画像および右眼画像の境界画素位置（Ｌ／Ｒ境界座標）を求める。この場合、画像フォーマット判別部２０３は、相関検査部２０２で水平ライン毎に得られた第１の相関候補範囲および第２の相関候補範囲のサイズ比に基づいて、水平ライン毎に境界画素位置を求める。
【００８１】
そして、画像フォーマット判別部２０３は、各水平ラインで求められた境界画素位置のうち、ある割合以上で同一となる境界画素位置を、最終的な境界画素位置に決定する。例えば、図８は、ライン１〜ラインＮmaxの水平ラインで求められる境界画素位置の一例を示している。この例の場合、境界画素位置Ｈxの割合がある割合以上となるので、この境界画素位置Ｈxを最終的な境界画素位置とする。なお、図８において、ラインｍ，ラインｎでは、例えば、相関検査部２０２で、互いに相関関係を持つ第１の相関候補範囲および第２の相関候補範囲がないとの検査結果が得られ、境界画素位置を求めることができなかった水平ラインを示している。
【００８２】
画像フォーマット判別装置２０３で求められる境界画素位置（Ｌ／Ｒ境界座標）は、水平方向における左眼画像および右眼画像の境界位置を適切に示すものとなる。例えば、左眼画像および右眼画像の水平サイズが同じであるとき、求められる境界画素位置は、図５に示すように、水平サイズ（H_size）の中心位置を示すものとなる。また、例えば、図９に示すように、左眼画像および右眼画像の水平サイズが異なるときでも、求められる境界画素位置は、水平方向における左眼画像および右眼画像の境界位置を正しく示すものとなる。
【００８３】
ここで、第１の相関候補範囲のサイズは、その最後の相関候補の水平位置座標からその最初の相関候補の水平位置座標を差し引くことで得られる。同様に、第２の相関候補範囲サイズは、その最後の相関候補の水平位置座標からその最初の相関候補の水平位置座標を差し引くことで得られる。例えば、図６、図７の例において、第１の相関候補範囲のサイズは（Ｈ12−Ｈ0）となり、第２の相関候補範囲のサイズは（Ｈ25−Ｈ13）となる。
【００８４】
水平サイズ（H_size）を第１の相関候補範囲および第２の相関候補範囲のサイズ比で分割することで、左眼画像の水平サイズＡおよび右眼画像の水平サイズＢを求めることができる。そのため、水平方向における左眼画像および右眼画像の境界画素位置（Ｌ／Ｒ境界座標）を求めることができる（図２参照）。
【００８５】
図３に示す画像フォーマット判別装置１１８の動作を簡単に説明する。画像データＶＤは、相関候補検出部２０１に供給される。この相関候補検出部２０１では、画像データＶＤの水平ラインの画素データに基づいて各画素位置の傾斜量が求められ、この傾斜量の符号が変化する位置の画素が、相関候補として抽出される。
【００８６】
相関候補検出部２０１で抽出される相関候補は、相関検査部２０２に供給される。この相関検査部２０２では、相関候補抽出部２０１で抽出された相関候補に基づいて、水平ラインに互いに相関関係を持つ第１の相関候補範囲および第２の相関候補範囲があるか否かが検査される。この検査結果は、画像フォーマット判別部２０３に供給される。この場合、水平ラインに互いに相関関係を持つ第１の相関候補範囲および第２の相関候補範囲があるとの検査結果が得られるときは、第１の相関候補範囲および第２の相関候補範囲の情報も、画像フォーマット判別部２０３に供給される。
【００８７】
画像フォーマット判別部２０３では、相関検査部２０２の検査結果に基づいて、画像データＶＤがサイドバイサイド方式の３次元画像データであるか２次元画像データであるかが判別される。この場合、複数の水平ラインに対する相関検査部２０２の検査結果の統計に基づいて判別が行われる。
【００８８】
画像フォーマット判別部２０３では、例えば、ある割合以上が水平ラインに互いに相関関係を持つ第１の相関候補範囲および第２の相関候補範囲があることを示すとき、画像データＶＤがサイドバイサイド方式の３次元画像データであると判別される。一方、画像フォーマット判別装部２０３では、それ以外のとき、画像データＶＤが２次元画像データであると判別される。
【００８９】
また、画像フォーマット判別部２０３では、画像データＶＤがサイドバイサイド方式の３次元画像データであると判別されるとき、さらに、水平方向における左眼画像および右眼画像の境界画素位置（Ｌ／Ｒ境界座標）が求められる。この場合、画像フォーマット判別部２０３では、相関検査部２０２で水平ライン毎に得られた第１の相関候補範囲および第２の相関候補範囲のサイズ比に基づいて、水平ライン毎に境界画素位置が求められる。そして、画像フォーマット判別部２０３では、各水平ラインで求められた境界画素位置のうち、ある割合以上で同一となる境界画素位置が、最終的な境界画素位置に決定される。
【００９０】
この画像フォーマット判別部２０３からは、判別結果を示す判別情報ＤＩが出力される。この判別情報ＤＩには、画像データＶＤがサイドバイサイド方式の３次元画像データであって、水平方向における左眼画像および右眼画像の境界画素位置が求められる場合には、その情報も含まれる。この判別情報ＤＩは、上述したように、テレビ受信機１００のＣＰＵ１０１に送られる。
【００９１】
図１０、図１１のフローチャートは、画像フォーマット判別装置１１８の処理手順の一例を示している。画像フォーマット判別装置１１８は、この処理手順を、例えば、フレーム毎に実行する。
【００９２】
画像フォーマット判別装置１１８は、ステップＳＴ１において、処理を開始し、ステップＳＴ２において、Ｎ＝１に設定し、その後に、ステップＳＴ３の処理に移る。このステップＳＴ３において、画像フォーマット判別装置１１８は、第Ｎラインの入力画像データＶＤの画素データに基づいて各画素位置の傾斜量を求め、この傾斜量の符号が変化する位置の画素を相関候補として抽出する。
【００９３】
次に、画像フォーマット判別装置１１８は、ステップＳＴ４において、最初の相関候補の画素データ値を、初期スキャン・ターゲット値ＳＴとする。そして、画像フォーマット判別装置１１８は、水平ラインの左から右へ、２番目以降の相関候補をスキャンし、その画素データ値がスキャン・ターゲット値ＳＴである相関候補を符合リストに登録する。
【００９４】
次に、画像フォーマット判別装置１１８は、ステップＳＴ６において、Ｍ＝１に設定し、その後に、ステップＳＴ７の処理に移る。このステップＳＴ７において、画像フォーマット判別装置１１８は、符合リストに登録された相関候補のうち、Ｍ番目の相関候補を一致リストに登録する。
【００９５】
次に、画像フォーマット判別装置１１８は、ステップＳＴ８において、次の相関候補（最初は２番目の相関候補）の画素データ値を、スキャン・ターゲット値ＳＴとする。そして、画像フォーマット判別装置１１８は、ステップＳＴ９において、一致リストに最後に登録された相関候補の次の相関候補（対象相関候補）の画素データ値がそのときのスキャン・ターゲット値ＳＴと同じであるか判断する。
【００９６】
ステップＳＴ９で条件を満足するとき、画像フォーマット判別装置１１８は、ステップＳＴ１０において、相関候補（対象相関候補）を一致リストに追加登録する。そして、画像フォーマット判別装置１１８は、ステップＳＴ１１において、一致リストに登録された相関候補に最終相関候補が含まれているか判断する。このステップＳＴ１１で条件を満足しないとき、画像フォーマット判別装置１１８は、ステップＳＴ８の処理に戻り、スキャン処理を続ける。
【００９７】
ステップＳＴ１１で条件を満足するとき、画像フォーマット判別装置１１８は、ステップＳＴ１２において、画像データＶＤがサイドバイサイド方式の３次元（３Ｄ）画像データであると判別する。また、このステップＳＴ１２において、一致リストに最初に登録された相関候補の画素位置を、水平方向における左眼画像および右眼画像の境界画素位置（Ｌ／Ｒ境界座標）とする。このステップＳＴ１２の処理の後、画像フォーマット判別装置１１８は、ステップＳＴ１３の処理に移る。
【００９８】
上述のステップＳＴ９で条件を満足しないとき、画像フォーマット判別装置１１８は、ステップＳＴ１４において、一致リストに登録されている相関候補を削除する。そして、画像フォーマット判別装置１１８は、ステップＳＴ１５において、Ｍ＝Ｍmaxであるか否かを判断する。ここで、Ｍmaxは、符合リストに登録された相関候補の個数を示している。
【００９９】
Ｍ＝Ｍmaxでないとき、画像フォーマット判別装置１１８は、ステップＳＴ１６において、Ｍを１だけ増加し、ステップＳＴ７の処理に戻り、符合リストに登録された次の相関候補に対するスキャン処理を始める。一方、Ｍ＝Ｍmaxであるとき、画像フォーマット判別装置１１８は、ステップＳＴ１７において、画像データＶＤは２次元（２Ｄ）画像データであると判別し、その後に、ステップＳＴ１３の処理に移る。このステップＳＴ１３において、画像フォーマット判別装置１１８は、Ｎ＝Ｎmaxであるか否かを判断する。ここで、Ｎmaxは、検査ライン数を示している。
【０１００】
Ｎ＝Ｎmaxでないとき、画像フォーマット判別装置１１８は、検査すべき水平ラインがまだあることを認識する。このとき、画像フォーマット判別装置１１８は、ステップＳＴ１８において、Ｎを１だけ増加し、ステップＳＴ３の処理に戻り、次の水平ラインの処理を行う。一方、Ｎ＝Ｎmaxであるとき、画像フォーマット判別装置１１８は、ステップＳＴ１９の処理に移る。
【０１０１】
このステップＳＴ１９において、画像フォーマット判別装置１１８は、各水平ラインの判別結果の統計から、最終的に、画像データＶＤがサイドバイサイド方式の３次元画像データであるか２次元画像データであるかを判別する。この場合、ある割合以上の水平ラインでサイドバイサイド方式の３次元画像データであると判別されているときは、サイドバイサイド方式の３次元画像データであると判別し、それ以外のときは２次元画像データであると判別する。
【０１０２】
また、このステップＳＴ１９において、画像フォーマット判別装置１１８は、水平方向の左眼画像および右眼画像の境界画素位置も決定する。この場合、画像フォーマット判別装置１１８は、水平ライン毎に求められた境界画素位置のうち、ある割合以上で同一となる境界画素位置を最終的な境界画素位置に決定する。そして、このステップＳＴ１９において、画像フォーマット判別装置１１８は、判別情報ＤＩを出力する。画像フォーマット判別装置１１８は、ステップＳＴ１９の処理の後、ステップＳＴ２０において、処理を終了する。
【０１０３】
上述したように、図３に示す画像フォーマット判別装置１１８においては、水平ラインの各画素位置の傾斜量の符号が変化する位置の画素を相関候補として抽出する。そして、この画像フォーマット判別装置１１８においては、水平ラインに互いに相関関係を持つ第１の相関候補範囲および第２の相関候補範囲があるかにより、入力画像データがサイドバイサイド方式の３次元画像データであるか判別するものである。そのため、サイドバイサイド方式の３次元画像データの判別を良好に行うことが可能となる。
【０１０４】
また、図３に示す画像フォーマット判別装置１１８においては、サイドバイサイド方式の画像データであると判別するとき、水平方向における左眼画像および右眼画像の境界画素位置を求めるものである。そのため、例えば、左眼画像データおよび右眼画像データの水平方向解像度が異なる場合であっても、サイドバイサイド方式の画像データから左眼画像データや右眼画像データの切り出しを適切に行うことが可能となる。
【０１０５】
また、図３に示す画像フォーマット判別装置１１８においては、画像フォーマット判別部２０３は、相関検査部２０２における複数の水平ラインの検査結果に基づいて、入力画像データがサイドバイサイド方式の３次元画像データであるかを判別するものである。そのため、サイドバイサイド方式の画像データであるか否かの判別精度を高めることが可能となる。また、水平方向における左眼画像および右眼画像の境界画素位置の精度も高めることが可能となる。
【０１０６】
＜２．第２の実施の形態＞
［テレビ受信機（２ＤＴＶ）の構成例］
図１２は、本技術の第２の実施の形態としてのテレビ受信機１００Ａの構成例を示している。このテレビ受信機１００Ａは、２Ｄ表示のみが可能なテレビ受信機（２ＤＴＶ）である。この図１２において、図１と対応する部分には、同一符号を付し、適宜、その詳細説明を省略する。
【０１０７】
画像フォーマット判別装置１１８は、上述のテレビ受信機１００の画像フォーマット判別装置１１８と同様に構成されている。すなわち、この画像フォーマット判別装置１１８は、ＤＯバッファ１１５に蓄積されている画像データＶＤの画像フォーマットを判別する。つまり、画像フォーマット判別装置１１８は、この画像データＶＤに基づいて、この画像データＶＤが、サイドバイサイド方式の３次元画像データであるか、あるいは２次元画像データであるか否かを判別する。また、画像フォーマット判別装置１１８は、画像データＶＤがサイドバイサイド方式の３次元画像データであると判別するとき、さらに、水平方向における左眼画像および右眼画像の境界画素位置（Ｌ／Ｒ境界座標）を求める。
【０１０８】
画像フォーマット判別装置１１８は、画像フォーマットの判別結果を示す判別情報ＤＩをＣＰＵ１０１に送る。この判別情報ＤＩには、上述したように画像データＶＤがサイドバイサイド方式の３次元画像データであって、水平方向における左眼画像および右眼画像の境界画素位置が求められる場合には、その情報も含まれる。ＣＰＵ１０１は、この判別情報ＤＩに基づいて画像データＶＤの画像フォーマットなどを認識し、２Ｄ信号処理部１１９が画像フォーマットに応じた動作を行うように制御する。
【０１０９】
テレビ受信機１００Ａにおいては、上述したテレビ受信機１００の３Ｄ信号処理部１１６、ビューバッファ２１７Ｌ，２１７Ｒの部分が、２Ｄ信号処理部１１９、ビューバッファ１２０により構成されたものとなっている。詳細説明は省略するが、テレビ受信機１００Ａのその他は、図１に示す受信機１００と同様に構成されている。
【０１１０】
２Ｄ信号処理部１１９は、ＤＯバッファ１１５に蓄積されている画像データＶＤがサイドバイサイド方式の３次元画像データであるときは、以下の処理を行う。すなわち、２Ｄ信号処理部１１９は、画像データＶＤから左眼画像データまたは右眼画像データを切り出し、水平方向のスケーリング処理を施し、２次元表示用画像データＳＶを生成する。また、２Ｄ信号処理部１１９は、ＤＯバッファ１１５に蓄積されている画像データＶＤが２次元画像データであるときは、以下の処理を行う。すなわち、２Ｄ信号処理部１１９は、画像データＶＤをそのまま２次元表示用画像データＳＶとして出力する。
【０１１１】
ビューバッファ１２０は、２Ｄ信号処理部１１９で得られた２次元表示用画像データＳＶを一時的に蓄積し、表示ディスプレイなどの画像出力部に出力する。
【０１１２】
図１２に示すテレビ受信機１００Ａの動作を簡単に説明する。アンテナ端子１１０に入力されたテレビ放送信号はデジタルチューナ１１１に供給される。このデジタルチューナ１１１では、テレビ放送信号が処理されて、ユーザの選択チャネルに対応した所定のトランスポートストリームＴＳが出力される。このトランスポートストリームＴＳは、ＴＳバッファ１１２に一時的に蓄積される。
【０１１３】
デマルチプレクサ１１３では、ＴＳバッファ１１２に一時的に蓄積されたトランスポートストリームＴＳから、ビデオおよびオーディオの各エレメンタリストリームが抽出される。このデマルチプレクサ１１３で抽出されるビデオエレメンタリストリームは、ビデオデコーダ１１４に供給される。
【０１１４】
ビデオデコーダ１１４では、デマルチプレクサ１１３で抽出されたビデオエレメンタリストリームに含まれる符号化画像データに対してデコード処理が施されて画像データ（２次元画像データ、あるいはサイドバイサイド方式の３次元画像データ）ＶＤが得られる。この画像データＶＤは、ＤＯバッファ１１５に一時的に蓄積される。
【０１１５】
画像フォーマット判別装置１１８では、画像データＶＤに基づいて、この画像データＶＤが、サイドバイサイド方式の３次元画像データであるか２次元画像データであるかが判別される。また、画像フォーマット判別装置１１８では、サイドバイサイド方式の３次元画像データであると判別されるときには、さらに、水平方向における左眼画像および右眼画像の境界画素位置が求められる。
【０１１６】
画像フォーマット判別装置１１８からＣＰＵ１０１に、画像フォーマットの判別結果を示す判別情報ＤＩが送られる。ＣＰＵ１０１では、この判別情報ＤＩに基づいて、ビデオデコーダ１１４で得られ、ＤＯバッファ１１５に蓄積されている画像データＶＤの画像フォーマットが認識される。また、ＣＰＵ１０１では、画像データＶＤがサイドバイサイド方式の３次元画像データである場合、水平方向における左眼画像および右眼画像の境界画素位置が認識される。そして、ＣＰＵ１０１により、２Ｄ信号処理部１１９などが、画像フォーマットに応じた動作を行うように制御される。
【０１１７】
画像データＶＤが、図２（ａ）に示すように、サイドバイサイド方式の３次元画像データであるとき、画像フォーマット判別装置１１８では、画像データＶＤがサイドバイサイド方式の３次元画像データであると判別される。そして、画像フォーマット判別装置１１８では、さらに、水平方向における左眼画像および右眼画像の境界画素位置（Ｌ／Ｒ境界座標）も求められる。
【０１１８】
このとき、２Ｄ信号処理部１１９は、以下の処理を行う。すなわち、２Ｄ信号処理部１１９では、ＤＯバッファ１１５に蓄積されている画像データＶＤから、図２（ｂ）に示す左眼画像データおよび右眼画像データのうち、一方の画像データを切り出すことが行われる。この場合、例えば、左眼画像データおよび右眼画像データのうち、水平サイズの大きな方の画像データ、図２の例では、左眼画像データの切り出しが行われる。この画像データの切り出し処理は、水平方向における左眼画像および右眼画像の境界画素位置に基づいて行われる。
【０１１９】
そして、２Ｄ信号処理部１１９では、切り出された例えば左眼画像データに対して水平方向のスケーリング処理が施され、図２（ｄ）に示すように、２次元表示用画像データＳＶが生成される。ここで、画像全体の水平サイズH_sizeに対して、左眼画像の水平サイズが“Ａ”であった場合には、左眼画像データに対しては、水平方向にH_size／Ａ倍とするスケーリング処理が行われる。
【０１２０】
２Ｄ信号処理部１１９で生成された２次元表示用画像データＳＶは、ビューバッファ１２０を通じて、表示ディスプレイなどの画像出力部に供給される。画像出力部には、この２次元表示用画像データＳＶに基づいて２次元画像が表示される。
【０１２１】
また、画像データＶＤが、図２（ｅ）に示すように、２次元画像データであるとき、画像フォーマット判別装置１１８では、画像データＶＤが２次元画像データであると判別される。このとき、２Ｄ信号処理部１１９は、以下の処理を行う。すなわち、２Ｄ信号処理部１２０では、図２（ｆ）に示すように、ＤＯバッファ１１５に蓄積されている画像データＶＤを、そのまま２次元表示用画像データＳＶとして出力することが行われる。この２次元表示用画像データＳＶは、ビューバッファ１２０を通じて、表示ディスプレイなどの画像出力部に供給される。画像出力部には、この２次元表示用画像データＳＶに基づいて２次元画像が表示される。
【０１２２】
また、デマルチプレクサ１１３で抽出されたオーディオエレメンタリストリームは、オーディオデコーダ１２１に供給される。このオーディオデコーダ１２１では、オーディオエレメンタリストリームに含まれる符号化音声データに対して復号化処理が行われて、復号化された音声データＡＤが得られる。この音声データＡＤは、チャネル処理部１２２に供給される。チャネル処理部１２２では、その音声データに対して、例えば５．１chサラウンド等を実現するための各チャネルの音声データＳＡが生成される。この音声データＳＡはスピーカなどの音声出力部に供給され、表示画像に対応した音声が出力される。
【０１２３】
このように、図１２に示すテレビ受信機（２ＤＴＶ）１００Ａにおいては、画像フォーマット判別装置１１８の判別情報ＤＩが用いられることで、良好な画像表示が行われる。すなわち、受信画像データＶＤがサイドバイサイド方式の３次元画像データであるとき、左眼画像データまたは右眼画像データの切り出しが適切に行われて、２次元画像の表示が良好に行われる。さらに、受信画像データＶＤが２次元画像データであるとき、その２次元画像データにより２次元画像の表示が良好に行われる
【０１２４】
＜３．変形例＞
なお、上述実施の形態において、画像フォーマット判別装置１１８は、画像データＶＤがサイドバイサイド方式の３次元画像データであるときは、さらに、水平方向の左眼画像および右眼画像の境界画素位置（Ｌ／Ｒ境界座標）を算出している。しかし、画像データＶＤとしてのサイドバイサイド方式の３次元画像データにおいて、左眼画像データおよび右眼画像データの水平方向解像度が同じであることが保証されている場合には不要となる。
【０１２５】
また、上述実施の形態においては、画像フォーマット判別装置１１８を備えるテレビ受信機１００，１００Ａの例をあげている。しかし、本技術の画像フォーマット判別装置１１８は、画像データの画像フォーマット判別を必要とするその他の電子機器、例えば、レコーダ、プレーヤ等にも同様に適用できることは勿論である。
【０１２６】
また、上述実施の形態おいて、画像フォーマット判別装置１１８の画像フォーマット判別処理は、ハードウェアで実行できる他、ソフトウェアでも実行可能である。ソフトウェアで処理を実行する場合には、処理シーケンスを記録したプログラムを、専用のハードウェアに組み込まれたコンピュータ内のメモリにインストールして実行させる。または、各種処理が実行可能な汎用コンピュータにプログラムをインストールして実行させることが可能である。この場合、コンピュータを、プログラムにより、画像フォーマット判別装置１１８の各機能ブロックとして機能させるものである。
【０１２７】
また、本技術は、以下のような構成を取ることもできる。
（１）入力画像データの水平ラインの画素データに基づいて各画素位置の傾斜量を求め、該傾斜量の符号が変化する位置の画素を相関候補として抽出する相関候補抽出部と、
上記相関候補抽出部で抽出された相関候補に基づいて、上記水平ラインに互いに相関関係を持つ第１の相関候補範囲および第２の相関候補範囲があるかを検査する相関検査部と、
上記相関検査部の検査結果に基づいて、上記入力画像データがサイドバイサイド方式の３次元画像データであるかを判別する画像フォーマット判別部とを備える
画像フォーマット判別装置。
（２）上記画像フォーマット判別部は、
上記サイドバイサイド方式の画像データであると判別するとき、さらに、上記第１の相関候補範囲および第２の相関候補範囲のサイズ比に基づいて、上記水平方向における左眼画像および右眼画像の境界画素位置を求める
前記（１）に記載の画像フォーマット判別装置。
（３）上記画像フォーマット判別部は、
上記相関検査部における複数の水平ラインの検査結果に基づいて、上記入力画像データがサイドバイサイド方式の３次元画像データであるかを判別する
前記（１）または（２）に記載の画像フォーマット判別装置。
（４）上記相関候補抽出部は、
上記各画素位置の傾斜量として、隣接する画素との間の画素データ値の差分を求める
前記（１）から（３）のいずれかに記載の画像フォーマット判別装置。
（５）入力画像データの水平ラインの画素データに基づいて各画素位置の傾斜量を求め、該傾斜量の符号が変化する位置の画素を相関候補として抽出する相関候補抽出ステップと、
上記相関候補抽出ステップで抽出された相関候補に基づいて、上記水平ラインに互いに相関関係を持つ第１の相関候補範囲および第２の相関候補範囲があるかを検査する相関検査ステップと、
上記相関検査ステップの検査結果に基づいて、上記入力画像データがサイドバイサイド方式の３次元画像データであるかを判別する画像フォーマット判別ステップとを備える
画像フォーマット判別方法。
（６）入力画像データに基づいて、該入力画像データがサイドバイサイド方式の３次元画像データであるかを判別する画像フォーマット判別装置と、
上記画像フォーマット判別装置の判別結果に基づいて、上記入力画像データを処理して表示用画像データを得る画像データ処理部とを備え、
上記画像フォーマット判別装置は、
上記入力画像データの水平ラインの画素データに基づいて各画素位置の傾斜量を求め、該傾斜量の符号が変化する位置の画素を相関候補として抽出する相関候補抽出部と、
上記相関候補抽出部で抽出された相関候補に基づいて、上記水平ラインに互いに相関関係を持つ第１の相関候補範囲および第２の相関候補範囲があるかを検査する相関検査部と、
上記相関検査部の検査結果に基づいて、上記入力画像データがサイドバイサイド方式の３次元画像データであるかを判別する画像フォーマット判別部とを有する
画像再生装置。
（７）入力画像データに基づいて、該入力画像データがサイドバイサイド方式の３次元画像データであるかを判別し、さらに、サイドバイサイド方式の３次元画像データであると判別するとき、水平方向における左眼画像および右眼画像の境界画素位置を求める画像フォーマット判別装置と、
上記画像フォーマット判別装置でサイドバイサイド方式の３次元画像データであると判別されるとき、上記入力画像データから上記画像フォーマット判別装置で求められた上記境界画素位置に基づいて左眼画像データおよび右眼画像データを切り出し、水平方向のスケーリング処理を施し、左眼および右眼の表示用画像データを生成する画像データ処理部とを備え、
上記画像フォーマット判別装置は、
上記入力画像データの水平ラインの画素データに基づいて各画素位置の傾斜量を求め、該傾斜量の符号が変化する位置の画素を相関候補として抽出する相関候補抽出部と、
上記相関候補抽出部で抽出された相関候補に基づいて、上記水平ラインに互いに相関関係を持つ第１の相関候補範囲および第２の相関候補範囲があるかを検査する相関検査部と、
上記相関検査部の検査結果に基づいて、上記入力画像データがサイドバイサイド方式の３次元画像データであるかを判別し、上記サイドバイサイド方式の画像データであると判別するとき、さらに、上記第１の第１の相関候補範囲および第２の相関候補範囲のサイズ比に基づいて、上記水平方向における左眼画像および右眼画像の境界画素位置を求める画像フォーマット判別部とを有する
画像再生装置。
（８）上記画像データ処理部は、
３次元表示モードにおいて、上記画像フォーマット判別部でサイドバイサイド方式の３次元画像データであると判別されるとき、上記入力画像データから上記画像フォーマット判別部で求められた上記境界画素位置に基づいて左眼画像データおよび右眼画像データを切り出し、水平方向のスケーリング処理を施し、左眼および右眼の表示用画像データを生成し、
２次元表示モードにおいて、上記画像フォーマット判別部でサイドバイサイド方式の３次元画像データであると判別されるとき、上記入力画像データから上記画像フォーマット判別部で求められた上記境界画素位置に基づいて左眼画像データまたは右眼画像データを切り出し、水平方向のスケーリング処理を施し、２次元表示用画像データを生成する
前記（７）に記載の画像再生装置。
（９）入力画像データに基づいて、該入力画像データがサイドバイサイド方式の３次元画像データであるかを判別し、さらに、サイドバイサイド方式の３次元画像データであると判別するとき、水平方向における左眼画像および右眼画像の境界画素位置を求める画像フォーマット判別装置と、
上記画像フォーマット判別装置でサイドバイサイド方式の３次元画像データであると判別されるとき、上記入力画像データから上記画像フォーマット判別部で求められた上記境界画素位置に基づいて左眼画像データまたは右眼画像データを切り出し、水平方向のスケーリング処理を施し、２次元表示用画像データを生成する画像データ処理部とを備え、
上記画像フォーマット判別装置は、
上記入力画像データの水平ラインの画素データに基づいて各画素位置の傾斜量を求め、該傾斜量の符号が変化する位置の画素を相関候補として抽出する相関候補抽出部と、
上記相関候補抽出部で抽出された相関候補に基づいて、上記水平ラインに互いに相関関係を持つ第１の相関候補範囲および第２の相関候補範囲があるかを検査する相関検査部と、
上記相関検査部の検査結果に基づいて、上記入力画像データがサイドバイサイド方式の３次元画像データであるかを判別し、上記サイドバイサイド方式の画像データであると判別するとき、さらに、上記第１の相関候補範囲および第２の相関候補範囲のサイズ比に基づいて、上記水平方向における左眼画像および右眼画像の境界画素位置を求める画像フォーマット判別部とを有する
画像再生装置。
（１０）入力画像データの画像フォーマットを判別する画像フォーマット判別装置を備え、
上記画像フォーマット判別装置は、
上記入力画像データの水平ラインの画素データに基づいて各画素位置の傾斜量を求め、該傾斜量の符号が変化する位置の画素を相関候補として抽出する相関候補抽出部と、
上記相関候補抽出部で抽出された相関候補に基づいて、上記水平ラインに互いに相関関係を持つ第１の相関候補範囲および第２の相関候補範囲があるかを検査する相関検査部と、
上記相関検査部の検査結果に基づいて、上記入力画像データがサイドバイサイド方式の３次元画像データであるかを判別する画像フォーマット判別部とを備える
電子機器。
【符号の説明】
【０１２８】
１００，１００Ａ・・・テレビ受信機
１０１・・・ＣＰＵ
１１１・・・デジタルチューナ
１１４・・・ビデオデコーダ
１１６・・・３Ｄ信号処理部
１１７Ｌ，１１７Ｒ，１２０・・・ビューバッファ
１１８・・・画像フォーマット判別装置
１１９・・・２Ｄ信号処理部
２０１・・・相関候補抽出部
２０２・・・相関検査部
２０３・・・画像フォーマット判別部
【図１】
2013005410.tif 000003
【図２】
2013005410.tif 000004
【図３】
2013005410.tif 000005
【図４】
2013005410.tif 000006
【図５】
2013005410.tif 000007
【図６】
2013005410.tif 000008
【図７】
2013005410.tif 000009
【図８】
2013005410.tif 000010
【図９】
2013005410.tif 000011
【図１０】
2013005410.tif 000012
【図１１】
2013005410.tif 000013
【図１２】
2013005410.tif 000014